(57)【要約】【課題】意匠を損ねることなく回転部分の抑制力の向上と回転保持とを行うことができる照明器具を提供する。【解決手段】照明器具１０は、支柱１２が締結体１５を挿通する支柱側回転支持部１９を有し、灯体１３が締結体１５を螺装し、支柱側回転支持部１９に当接する灯体側回転支持部２２を有し、支柱１２と支柱側回転支持部１９との内部および灯体１３と灯体側回転支持部２２との内部に電線通線経路３２を形成し、支柱側回転支持部１９および灯体側回転支持部２２の少なくとも一方に係合可能にして圧接する圧接体１６を具備した。【選択図】図１
2010257747.tif 000002
【特許請求の範囲】
【請求項１】
支柱を有するフランジと、
ランプを収容し、前記フランジの前記支柱に固定される灯体と、
を備える照明器具であって、
前記支柱は、締結体を挿通する支柱側回転支持部を有し、
前記灯体は、前記締結体を螺装し、前記支柱側回転支持部に当接する灯体側回転支持部を有し、
前記支柱と前記支柱側回転支持部との内部および前記灯体と前記灯体側回転支持部との内部に電線通線経路を形成し、
前記支柱側回転支持部および前記灯体側回転支持部の少なくとも一方に係合可能にして圧接する圧接体を具備したことを特徴とする照明器具。
【請求項２】
前記圧接体は延性を有し、前記締結体の螺装に伴い、塑性変形して摩擦を生ずることを特徴とする請求項１に記載した照明器具。
【発明の詳細な説明】
【技術分野】
【０００１】
本発明は、例えば建物の壁面に取り付けて、壁面や庭のライトアップに用いられる照明器具に関する。
【背景技術】
【０００２】
本発明者らは、ボルトのネジ部にナットをねじ込ませることにより、固定体と開閉体とをヒンジ部により連結した照明器具を既に提案している（例えば、特許文献１参照）。
【先行技術文献】
【特許文献】
【０００３】
【特許文献１】特開平９−１６６１３１号公報（図１、段落番号００１８）
【発明の概要】
【発明が解決しようとする課題】
【０００４】
上記特許文献１に開示された従来の照明器具は、ボルトのネジ部にナットを締め付けることによりヒンジ部における固定体と開閉体との接触面に摩擦が生じて回転を抑制するようにしている。
【０００５】
しかし、開閉体の重量が重く、その重心位置がボルトの回転中心から離れる場合、ボルトに大きな荷重がかかることになり、当該部分の強度を強くするためにボルトの径を大きくしなければならない。
従って、外形の大きなボルトにより意匠上において見苦しくなる虞がある。
【０００６】
また、上記特許文献１に開示された従来の照明器具と同様にして、フランジに一体的に固定された延性材料を用いたアームで灯具の凸部に両側から締結体で挟み、締結体を締めることによりアームを変形させて、当該凸部との間に摩擦を生じさせることにより回転抑制をするようにした照明器具も提案されている。このような照明器具では、灯体からフランジヘの電線は、その電線通線経路にフレキ管を用いて水の浸入を防止するようにしている。
【０００７】
しかし、この場合、凸部の両側に摩擦を生じさせるために、摩擦面がネジ頭の近傍になる。そのため、上記と同様に灯具が重く、その重心位置が回転中心から離れる場合、ネジの頭に大きな荷重がかかることになり、当該部分の強度を強くするためにネジの頭を大きくしなければならない。
従って、頭の大きなネジにより意匠上において見苦しくなる虞があるとともに、別部品のフレキ管を用いることにより部品点数が増大する虞がある。
【０００８】
本発明は、前述した課題を解決するためになされたものであり、その目的は、意匠を損ねることなく回転部分の抑制力の向上と回転保持とを行うことができる照明器具を提供することにある。
【課題を解決するための手段】
【０００９】
本発明に係る照明器具は、支柱を有するフランジと、ランプを収容し、前記フランジの前記支柱に固定される灯体と、を備える照明器具であって、前記支柱は、締結体を挿通する支柱側回転支持部を有し、前記灯体は、前記締結体を螺装し、前記支柱側回転支持部に当接する灯体側回転支持部を有し、前記支柱と前記支柱側回転支持部との内部および前記灯体と前記灯体側回転支持部との内部に電線通線経路を形成し、前記支柱側回転支持部および前記灯体側回転支持部の少なくとも一方に係合可能にして圧接する圧接体を具備したことを特徴とする。
【００１０】
本発明においては、締結体の螺装に伴い、支柱側回転支持部と灯体側回転支持部との間に生ずる摩擦力に加えて、圧接体と支柱側回転支持部および灯体側回転支持部の少なくとも一方との間に摩擦力が生ずる。
これにより、大きな摩擦力が創生されるために、灯体が大重量になって重心位置が締結体の回転中心から離れたとしても、締結体の径を大きくする必要がない。
従って、意匠を損ねることなく回転部分の抑制力の向上と回転保持とを行うことができる。
【００１１】
本発明に係る照明器具は、上記構成の照明器具において、前記圧接体は延性を有し、前記締結体の螺装に伴い、塑性変形して摩擦を生ずることを特徴とする。
【００１２】
本発明においては、締結体が螺装されることにより圧接体が自ら塑性変形して大きな摩擦力を生み出す。
従って、より大きな摩擦力を創生して回転部分の抑制力の向上と回転保持とを行うことができる。
【発明の効果】
【００１３】
本発明の照明器具によれば、支柱は、締結体を挿通する支柱側回転支持部を有し、灯体は、締結体を螺装し、支柱側回転支持部に当接する灯体側回転支持部を有し、支柱と支柱側回転支持部との内部および灯体と灯体側回転支持部との内部に電線通線経路を形成し、支柱側回転支持部および灯体側回転支持部の少なくとも一方に係合可能な圧接体を具備した。
これにより、従来のもののように外形の大きなボルトを用いる必要がなくなって、意匠を損ねることなく回転部分の抑制力の向上と回転保持とを行うことができるという効果を有する。
【図面の簡単な説明】
【００１４】
【図１】本発明に係る第１実施形態の照明器具の斜め下方から視た外観斜視図
【図２】図１に示した照明器具に適用する圧接体の外観斜視図
【図３】図１に示した照明器具の垂直断面図
【図４】図１に示した照明器具に適用する圧接体の第１変形例の外観斜視図
【図５】本発明に係る第２実施形態の照明器具の斜め下方から視た外観斜視図
【図６】図５に示した照明器具に適用する圧接体の外観斜視図
【図７】図５に示した照明器具の垂直断面図
【図８】本発明に係る第３実施形態の垂直断面図
【発明を実施するための形態】
【００１５】
以下、本発明の複数の実施の形態に係る照明器具について図面を参照して説明する。
【００１６】
（第１実施形態）
図１に示すように、本発明の第１実施形態である照明器具１０は、支柱１２を有するフランジ１１と、ランプ１４を収容し、フランジ１１の支柱１２に固定される灯体１３と、締結体１５と、圧接体１６と、を備える。
【００１７】
フランジ１１は、円板形状に形成されて埋設体１７の下端部に配置されている。埋設体１７はフランジ１１を不図示の壁面から露出するように壁内に埋め込まれる。
【００１８】
支柱１２は、金属製であって軸形状に形成されており、フランジ１１の中央部を介して埋設体１７にナット部材１８により固定されている。支柱１２は、その下端部に円筒形状に形成された支柱側回転支持部１９を有する。
【００１９】
灯体１３は、金属製であって不図示のソケット等を収容した灯体本体２０に円筒形状の筒体２１を固定している。灯体１３は、その上部に円筒形状に形成された灯体側回転支持部２２を有する。
【００２０】
支柱１２の支柱側回転支持部１９と灯体１３の灯体側回転支持部２２とには、圧接体１６を介して締結体１５がねじ込まれる。締結体１５は頭の小さい座付ボルトである。
【００２１】
図２に示すように、圧接体１６は、支柱１２と同様の金属製であって延性を有する。圧接体１６は締結体挿通穴２４を形成した摩擦力発生用本体２３と、回り止め突起２５とを有する。
【００２２】
摩擦力発生用本体２３は、支柱側回転支持部１９の外径に略等しい外径を有して円板形状に形成されて中央部に締結体挿通穴２４を形成している。
【００２３】
回り止め突起２５は、摩擦力発生用本体２３の外周の一部に折曲成形されている。
【００２４】
図３に示すように、支柱側回転支持部１９は、その外周の一部に、圧接体１６の回り止め突起２５が係合する係合穴２６を形成している。
【００２５】
支柱側回転支持部１９は、その中央部に形成された支柱側軸部２７に締結体挿通部２８を形成している。
【００２６】
灯体側回転支持部２２は、その中央部に形成された灯体側軸部２９に雌ネジ穴３０を形成している。灯体側回転支持部２２は支柱側回転支持部１９側の端面に防水用のオーリング３１を嵌め付けている。
【００２７】
そして、支柱側回転支持部１９の支柱側軸部２７の外側と灯体側回転支持部２２の灯体側軸部２９の外側とに、空間状にしてフランジ１１と埋設体１７の内部から支柱１２の内部を通り灯体１３の灯体本体２０内に連通された電線通線経路３２を形成している。電線通線経路３２には灯体本体２０内のソケットを外部の電源回路に電気的に接続する電線３３が収容されている。
【００２８】
締結体１５は、スペーサ３４を挿通して、圧接体１６の締結体挿通穴２４および支柱側回転支持部１９の締結体挿通部２８を挿通して灯体側回転支持部２２の灯体側軸部２９に有する雌ネジ穴３０にねじ込まれる。
【００２９】
締結体１５が雌ネジ穴３０にねじ込まれることにより、支柱側回転支持部１９が支柱側回転支持部１９に圧接されるとともに、支柱側回転支持部１９の係合穴２６に回り止め突起２５が係合して回り止められている圧接体１６は摩擦力発生用本体２３が自ら塑性変形しながら支柱側回転支持部１９に圧接される。
これにより、圧接体１６の摩擦力発生用本体２３が自ら塑性変形しながら支柱側回転支持部１９に圧接されることにより大きな摩擦力が創生されるために、灯体１３が大重量になって重心位置が締結体１５の回転中心から離れたとしても、締結体１５の径を大きくする必要がない。
【００３０】
図４に示すように、照明器具１０に適用する圧接体１６の第１変形例では、摩擦力発生用本体２３の外周部に一対の回り止め突起３５を形成した。
【００３１】
本変形例では、一対の回り止め突起３５により支柱側回転支持部１９の係合穴２６への係合力が大きくなるために、回り止めが確実に行われる。
【００３２】
本発明の第１実施形態の照明器具１０では、締結体１５の螺装に伴い、支柱側回転支持部１９と灯体側回転支持部２２との間に生ずる摩擦力に加えて、圧接体１６と支柱側回転支持部１９との間に摩擦力が生ずる。
これにより、大きな摩擦力が創生されるために、灯体１３が大重量になって重心位置が締結体１５の回転中心から離れたとしても、締結体１５の径を大きくする必要がない。
従って、意匠を損ねることなく回転部分の抑制力の向上と回転保持とを行うことができる。
【００３３】
本発明の第１実施形態の照明器具１０では、締結体１５が螺装されることにより圧接体１６の摩擦力発生用本体２３が自ら塑性変形しながら大きな摩擦力を生み出す。
従って、より大きな摩擦力を創生して回転部分の抑制力の向上と回転保持とを行うことができる。
【００３４】
（第２実施形態）
次に、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００３５】
図５、図６、図７に示すように、本発明の第２実施形態の照明器具４０は、摩擦力発生用本体４２の外周部に、外周に向けて突出する突出板部４３を形成し、突出板部４３にネジ挿通穴４４を形成した圧接体４１を適用した。
【００３６】
圧接体４１のネジ挿通穴４４には、ネジ４５が挿通される。ネジ４５は支柱側回転支持部１９に形成されている不図示の雌ネジ穴にねじ込まれる。
【００３７】
本発明の第２実施形態の照明器具４０は、第１実施形態と同様の作用効果を奏する。特に、本実施形態では、圧接体４１の支柱側回転支持部１９をネジ４５によるネジ止めにしているために、支柱側回転支持部１９から外れることなく確実に回り止めを行うができる。
【００３８】
（第３実施形態）
続いて、本発明の第３実施形態の照明器具について説明する。
【００３９】
図８に示すように、本発明の第３実施形態の照明器具５０は、締結体挿通穴５２を有して支柱側回転支持部１９に圧接する摩擦力発生用本体５３と回り止め突起５４とを有する第１圧接体５１と、締結体挿通穴５６を有して灯体側回転支持部２２に圧接する摩擦力発生用本体５７と回り止め突起５８とを有する第２圧接体５５とを適用した。
【００４０】
灯体側回転支持部２２は灯体側軸部２９に締結体挿通部５８を形成している。締結体１５は、スペーサ３４を介して、第１圧接体５１の締結体挿通穴５２と、支柱側回転支持部１９の締結体挿通部２８と、灯体側回転支持部２２の締結体挿通部５８と、スペーサ５９と、第２圧接体５５の締結体挿通穴５６とを挿通してナット部材６０にねじ込まれる。
【００４１】
本発明の第３実施形態の照明器具５０は、第１実施形態と同様の作用効果を奏する。特に、本実施形態では、２個の第１、第２圧接体５１，５５を適用したために、より大きな摩擦力を創生して回転部分の抑制力の向上と回転保持とを行うことができる。
【００４２】
なお、前記各実施形態で使用した支柱１２、灯体１３、ランプ１４等は例示したものに限定するものではなく適宜変更が可能である。
【符号の説明】
【００４３】
１０、４０、５０  照明器具
１１  フランジ
１２  支柱
１３  灯体
１４  ランプ
１５  締結体
１６，４１  圧接体
１９  支柱側回転支持部
２２  灯体側回転支持部
３２  電線通線経路
５１  第１圧接体（圧接体）
５５  第２圧接体（圧接体）
【図１】
2010257747.tif 000003
【図２】
2010257747.tif 000004
【図３】
2010257747.tif 000005
【図４】
2010257747.tif 000006
【図５】
2010257747.tif 000007
【図６】
2010257747.tif 000008
【図７】
2010257747.tif 000009
【図８】
2010257747.tif 000010